(57)【要約】【課題】  モジュール設計を特徴とするリフト装置、特にケーブルウィンチを提供する。【解決手段】  本発明は、少なくとも２つのベースプレートを有するベースフレームを備え、互いに離間配置されベースプレートを相互接続する少なくとも２つの長手方向ビームと、保持部品によってベースプレートに取り付けられた取着要素とをさらに備えたリフト装置、特にケーブル牽引機構に関する。モジュール設計を特徴とするリフト装置、特にケーブル牽引機構を形成するために、保持部品（１３ａ、１３ｂ）は長手方向ビーム（５ａ、５ｂ、５ｃ）の延長として配置される。【選択図】  図２
2013511450.tif 000002
【特許請求の範囲】
【請求項１】
少なくとも２つのベースプレートを含むベースフレームを有し、前記ベースプレートを互いに離間位置に維持して一体に接続する少なくとも２つの長手方向ビームを有し、保持部品を介して前記ベースプレートに取着される取付け要素を有するリフト装置、特にケーブルウィンチにおいて、前記保持部品（１３ａ、１３ｂ）が前記長手方向ビーム（５ａ、５ｂ、５ｃ）の延長として配置されることを特徴とするリフト装置。
【請求項２】
前記保持部品（１３ａ、１３ｂ）が接続要素、特にねじ（１１、１６）によって前記ベースプレート（４ａ、４ｂ）に取着され、かつ同時に前記長手方向ビーム（５ａ、５ｂ、５ｃ）がこれらの接続要素を介して前記ベースプレート（４ａ、４ｂ）に取着されることを特徴とする、請求項１に記載のリフト装置。
【請求項３】
前記取付け要素（１８）が前記リフト装置をクレーントロリのフレームに取り付けるための接続ビームとして形成され、または前記リフト装置を静止支持構造に取着するための接続ビームとして形成されることを特徴とする、請求項１または２に記載のリフト装置。
【請求項４】
前記保持部品（１３ａ、１３ｂ）と前記取付け要素（１８）との間の接続が、マルチ剪断、好ましくはダブル剪断ボルト接続の方式で形成されることを特徴とする、請求項１ないし３のいずれか一項に記載のリフト装置。
【請求項５】
取付け穴（１８ｂ）付き取付け用突耳（１８ａ）が前記取付け要素（１８）に配置され、かつ各々分岐穴（１９ｃ、１９ｄ、１９ｇ、１９ｈ）付きの２つの分岐突耳（１９ａ、１９ｂ、１９ｅ、１９ｆ）がベースプレート（４ａ、４ｂ）の領域に配置され、前記分岐突耳が互いに離間して対向するように配置され、孔（２０、２１）を画定することを特徴とする、請求項４に記載のリフト装置。
【請求項６】
前記取付け用突耳（１８ｂ）の前記取付け穴（１８ａ）および前記分岐突耳（１９ａ、１９ｂ、１９ｅ、１９ｆ）の前記分岐穴（１９ｃ、１９ｄ、１９ｇ、１９ｈ）が互いに位置合せされ、前記取付け要素（１８）を前記ベースプレート（４ａ、４ｂ）の１つに取着するために、ボルト状保持部品（１３ａ、１３ｂ）が前記分岐穴（１９ｃ、１９ｄ、１９ｇ、１９ｈ）および前記取付け穴（１８ａ）に通されることを特徴とする、請求項５に記載のリフト装置。
【請求項７】
前記保持部品（１３ａ、１３ｂ）が各々、前記長手方向ビーム（５ａ、５ｂ、５ｃ）の長手軸（Ｌ）の方向に向けられたねじ（１１、１６）を介して、前記長手方向ビーム（５ａ、５ｂ、５ｃ）および前記ベースプレート（４ａ、４ｂ）の１つに取着されることを特徴とする、請求項１ないし６のいずれか一項に記載のリフト装置。
【請求項８】
前記ベースプレート（４ａ、４ｂ）が長方形であり、それぞれの段付き貫通開口（１４）または貫通開口（８）が前記ベースプレート（４ａ、４ｂ）の内側の仮想四辺形、特に正方形の角隅に配置され、それぞれの前記貫通開口内に所望の数の長手方向ビーム（５ａ、５ｂ、５ｃ）から１つの長手方向ビーム（５ａ、５ｂ、５ｃ）が挿入されることを特徴とする、請求項１ないし７のいずれか一項に記載のリフト装置。
【請求項９】
前記長手方向ビーム（５ａ、５ｂ、５ｃ）の第１ビーム端（５ｄ）が保持要素（１０）によって、前記長手方向ビーム（５ａ、５ｂ、５ｃ）の長手軸（Ｌ）の方向および逆方向に、前記第１ベースプレート（４ａ）に固定され、前記保持要素（１０）が前記第１ベースプレート（４ａ）の外側（４ｅ）に取着され、前記保持要素（１０）が保持穴（１０）を有し、その中に前記第１ビーム端（５ｄ）が突出し、かつ前記第１ビーム端（５ｄ）が取着要素、特にねじ（１１）を介して前記保持要素（１０）に固定されることを特徴とする、請求項８に記載のリフト装置。
【請求項１０】
前記少なくとも２つのベースプレート（４ａ、４ｂ）のうちの第２ベースプレート（４ｂ）の内側（４ｄ）にめくら穴開口（１４）が配置され、前記めくら穴開口（１４）のそれぞれに前記長手方向ビーム（５ａ、５ｂ、５ｃ）の第２ビーム端（５ｅ）が挿入かつ取着され、前記長手方向ビーム（５ａ、５ｂ、５ｃ）の各第２ビーム端（５ｄ）が前記長手方向ビーム（５ａ、５ｂ、５ｃ）の長手軸（Ｌ）の方向に向けられたねじ（１６）を介して前記段付き貫通開口（１４）内に固定され、かつ前記第２ベースプレート（４ｂ）の外側（４ｅ）に支持されることを特徴とする、請求項８または９に記載のリフト装置。
【請求項１１】
前記長手方向ビーム（５ａ、５ｂ、５ｃ）が円形断面を有する棒として形成されることを特徴とする、請求項１ないし１０のいずれか一項に記載のリフト装置。
【請求項１２】
前記ベースプレート（４ａ、４ｂ）の間にかつそれらの内側（４ｃ、４ｄ）にケーブルドラム（２）が両端を取り付けられ、前記ケーブルドラムの回転軸（Ｄ）が前記長手方向ビーム（５ａ、５ｂ、５ｃ）の長手軸（Ｌ）と平行に向けられることを特徴とする、請求項１ないし１１のいずれか一項に記載のリフト装置。
【発明の詳細な説明】
【技術分野】
【０００１】
本発明は、少なくとも２つのベースプレートを含むベースフレームを有し、ベースプレートを互いに離間位置に維持して一体に接続する少なくとも２つの長手方向ビームを有し、かつ保持部品を介してベースプレートに取り付けられた取付け要素を有する、リフト装置、特にケーブルウィンチに関する。
【背景技術】
【０００２】
ドイツ特許公開第DE4310770A1号公報から、劇場における昇降作業用の電動式ケーブルウィンチは公知である。この電動式ケーブルウィンチは、トランスミッションを介してケーブルドラムに作用する電気駆動モータによって駆動される。トランスミッションは、２つの制動器と共に、ケーブルドラム内に配置される。ケーブルドラムは、互いに平行に配向され相互に離間配置された２つのベースプレートから実質的に構成されるベースフレームの両端に取り付けられる。ベースプレートは各々略長方形を有し、ケーブルドラムの長手軸と平行に配向された４つの長手方向ビームを介して一体に取着される。長手方向ビームは、スペーサ管内に案内されたタイロッドおよび両端に螺合されたねじ付きナットにより、ベースプレートの角隅領域に各々接続されたスペーサ管として形成される。スペーサ管の平面状端面は、ロッド用の貫通穴の領域内でベースプレートの内側に当接する。電動式ケーブルウィンチは上部が開口したＵ字状接続ビームを介して静止支持構造または倉庫の床に取着されるので、この電動式ケーブルウィンチはいわゆる足取付け型ホイストとして形成される。電動式ケーブルウィンチを接続ビームに取着するために、２つのさらなる保持穴がベースプレートに、ベースプレートの下部長辺の領域における長手方向ビーム用の貫通穴に隣接して配置され、該保持穴は、スタッドボルトを介してベースプレートをＵ字状接続ビームのリムに取着するのに役立つ。振動減衰のために、スタッドボルトと保持穴との間に弾性要素を配置することができる。
【先行技術文献】
【特許文献】
【０００３】
【特許文献１】ドイツ特許公開第DE4310770A1号公報
【発明の概要】
【０００４】
本発明の目的は、モジュール設計を特徴とするリフト装置、特にケーブルウィンチを作製することである。
【０００５】
この目的は、請求項１の特徴を有するリフト装置、特にケーブルウィンチによって達成される。本発明の有利な実施形態を従属請求項２ないし１２に記載する。
【０００６】
本発明では、少なくとも２つのベースプレートを含むベースフレームを有し、ベースプレートを互いに離間位置に維持して一体に接続する少なくとも２つの長手方向ビームを有し、かつ保持部品を介してベースプレートに取り付けられた取付け要素を有するリフト装置、特にケーブルウィンチの場合、モジュール設計は、保持部品が長手方向ビームの延長として配置されることにより達成される。保持部品により、ベースプレートと取付け要素との間の汎用インタフェースが形成される。さらに、ベースプレートは充分な厚さなので、この構成は特に空間節約構成である。支持棒および保持部品は１回の作業工程で取着されるので、取付けも容易化される。
【０００７】
取付け要素の取付けの簡素化は、保持部品が接続要素、特にねじによってベースプレートに取着され、かつ同時に長手方向ビームがこれらの接続要素を介してベースプレートに取着されるという事実によって達成される。
【０００８】
好適には、取付け要素は、リフト装置をクレーントロリのフレームに取着するための接続ビームとして形成され、あるいはリフト装置を静止支持構造に取着するための接続ビームとして形成される。
【０００９】
保持部品と取付け要素との間の接続は、マルチ剪断、好ましくはダブル剪断ボルト接続の方式で形成され、したがって良好なレベルの安定性を有する。
【００１０】
構造的に有利な実施形態では、取付け要素に配置される取付け穴付きの取付け用突耳が設けられ、各々分岐穴付きの２つの分岐突耳がベースプレートの領域に配置され、該分岐突耳は、対向して互いに離間配置されて孔を画定する。
【００１１】
マルチ剪断ボルト接続を形成するために、取付け用突耳の取付け穴および分岐突耳の分岐穴は互いに位置合せされ、取付け要素をベースプレートの１つに取着するために、ボルト状保持部品が分岐穴および取付け穴に通される。保持部品は各々、長手方向ビームの長手軸の方向に向けられたねじを介して、長手方向ビームおよびベースプレートの１つに取着される。
【００１２】
ベースプレートを長方形とし、それぞれの段付き貫通開口または貫通開口をベースプレートの内側の仮想四辺形、特に正方形の角隅に配置し、該貫通開口内にそれぞれ、所望の数の長手方向ビームから１つの長手方向ビームが挿入されるように構成することが好ましい。
【００１３】
長手方向ビームの第１ビーム端を第１ベースプレートに軸方向に、長手方向ビームの長手軸の方向および逆方向に固定するために、保持要素を設ける。保持要素は第１ベースプレートの外側に取着され、第１ビーム端がその中に突出する保持穴を有し、第１ビーム端は取着要素、特にねじを介して保持要素に固定される。
【００１４】
特定の実施形態では、少なくとも２つのベースプレートのうちの第２ベースプレートの内側に、段付き貫通開口を配置し、その中に長手方向ビームの第２ビーム端をそれぞれ挿入して取着するように構成し、かつ長手方向ビームの各第２ビーム端が、長手方向ビームの長手軸の方向に向けられたねじを介して、段付き貫通開口内に固定され、第２ベースプレートの外側に支持されるように構成する。
【００１５】
長手方向ビームは円形断面を持つ棒として形成することが有利である。
【００１６】
従来通り、ケーブルドラムはベースプレートの間でその内側に取り付けられ、該ケーブルドラムの回転軸は長手方向ビームの長手軸と平行に向けられる。
【００１７】
本発明の例示的実施形態について、図面を参照しながら以下でさらに詳細に説明する。
【図面の簡単な説明】
【００１８】
【図１】足取付け型ホイストとして形成された本発明に係るケーブルウィンチの斜視図である。
【図２】ケーブルドラムおよび電動モータを省略した状態の図１の平面図である。
【図３】図２のベースフレームの第１ベースプレートにおける長手方向ビームの取付け領域の詳細図である。
【図４】図２のベースフレームの第２ベースプレートにおける長手方向ビームの取付け領域の詳細図である。
【図５】短設計型のモノレールクレーントロリの構成部品としての本発明に係るケーブルウィンチの斜視図である。
【発明を実施するための形態】
【００１９】
図１は、両端をベースフレーム３に取り付けられたケーブルドラム２を有する、本発明に係るケーブルウィンチ１の斜視図を示す。ケーブルウィンチ１はいわゆる足取付け型ホイストとして構成され、ベースフレーム３に取着された取付け要素１８により、静止支持構造または倉庫の床に設置され、その位置に取着される。
【００２０】
全体的に直方体様の形状を持つベースフレーム３は、一方では第１ベースプレート４ａおよび第２ベースプレート４ｂから構成され、それらの互いに対向する第１および第２内側４ｃおよび４ｄにケーブルドラム２が取り付けられる。ケーブルドラム２は回転軸Ｄを中心に回転自在であり、トランスミッション２ｂを介して電動モータ２ａによって駆動される。第１ベースプレート４ａおよび第２ベースプレート４ｂは各々直方体様の形状または長方形になるように形成される。
【００２１】
他方、直方体様の形状を持つベースフレーム３は、最大４つまでの幾つかの長手方向ビームから構成され、そのうちの第１長手方向ビーム５ａおよび第２長手方向ビーム５ｂを図１に見ることができる。第３長手方向ビームは第１長手方向ビーム５ａの下に配置され、ケーブルドラム２によって隠蔽されている。ベースプレート４ａ、４ｂは互いに離間配置され、長手方向ビーム５ａ、５ｂを介して一体に接続される。長手方向ビーム５ａ、５ｂは、第１および第２ベースプレート４ａ、４ｂの仮想四角形の角隅に配置される。第２ベースプレート４ｂの場合、長手方向ビーム５ａ、５ｂは略正方形のベースプレート４ｂの角隅領域に配置される。第１ベースプレート４ａは、電動モータ２ａを取着するために第１および第２長手方向ビーム５ａ、５ｂを越えて延びるので、第２ベースプレート４ｂと比較して長方形である。相応して、第３およびおそらく第４長手方向ビームは第１ベースプレート４ａの下側角隅領域に配置され、第１および第２長手方向ビーム５ａ、５ｂは第１ベースプレート４ａのおおよそ中心および側縁の領域に配置される。さらに、この第１ベースプレート４ａは外側４ｅの領域でトランスミッション２ｂを受容し、該トランスミッションはケーブルドラム２を電動モータ２ａに駆動可能に接続する。
【００２２】
長手方向ビーム５ａ、５ｂは中実棒として形成され、ケーブルウィンチ１の用途に応じて２つないし４つの長手方向ビーム５ａ、５ｂが設けられ、前記ビームはベースプレート４ａ、４ｂの選択された角隅または全部の角隅に配置される。長手方向ビーム５ａ、５ｂは、ねじれに抵抗するようにベースプレート４ａ、４ｂを一体に接続するために使用され、２つのベースプレート４ａ、４ｂの間の所望の距離および所望の許容範囲内の平行度が、長手方向ビーム５ａ、５ｂの長さによって達成される。図示する例示的実施形態では、ケーブルドラム２からの図示しないケーブルの巻取りおよび繰出しを妨げないように、全部で３つの長手方向ビーム５ａ、５ｂが設けられる。長手方向ビーム５ａ、５ｂは各々、第１ビーム端５ｄおよび反対側の第２ビーム端５ｅを含む。第１ビーム端５ｄは各々第１ベースプレート４ａに取着され、第２ビーム端５ｅは各々第２ベースプレート４ｂに取着される。第１ベースプレート４ａにおける第１ビーム端５ｄおよび第２ベースプレート４ｂにおける第２ビーム端５ｅの特定のタイプの取着については、図３および４に関連して説明する。
【００２３】
図１は、いわゆる動作状態の、すなわち長手方向ビーム５ａ、５ｂを組み立てた後のケーブルウィンチを示す。この動作状態で、長手方向ビーム５ａ、５ｂは、それらの長手軸Ｌをケーブルドラム２の回転軸Ｄと平行にかつそれから横方向に変位して配向される。
【００２４】
図１は、いわゆる足取付け型ホイストとしてのケーブルウィンチ１を示す。このケーブルウィンチ１は、他の取付け要素１８を使用する場合、クレーントロリの構成部品となることもでき、その場合走行機構の構成部品がベースプレート４ａ、４ｂに取着される。可能なクレーントロリ設計として、下部フランジクレーントロリ、ケーブルウィンチ１が軌条に隣接して配設されたモノレールクレーントロリ、および二軌条クレーントロリが挙げられる。
【００２５】
相応して、ベースプレート４ａ、４ｂは、ケーブルドラム２を取り付けることに加えて、例えば電気駆動装置２ａを支持し、ケーブルリービング装置の部品のための取付け用横ビームを受容し、電気機器を収容し、ケーブルウィンチの足の取着を可能にし、または走行機構の部品を取り付けるなど、様々な他の機能を有する。
【００２６】
図２は、図１のケーブルウィンチの平面図を示し、明確を期すために、ケーブルドラム２、トランスミッション２ｂ、および電動モータ２ａは図示されていない。２つのベースプレート４ａ、４ｂはそれ自体鋳造部品として製造され、重量を節約するために、外側に向かって開口し、第１および第２中空空間４ｇ、４ｈをそれぞれ有するポットの形を取り、その中にケーブルウィンチ１の駆動装置、電気または電子構成部品を収容することができることが分かる。前述の通り、トランスミッション２ｂは第１中空空間４ｇに位置する。要件および設計によっては、第１および第２中空空間４ｇ、４ｈをカバーで閉鎖することができ、あるいは開いたままにすることができる。第１ベースプレート４ａの第１中空空間４ｇは、フレーム状の保持要素７を介して第１ベースプレート４ａの第１外側４ｇに取着された第１カバー６ａによって閉鎖される。第２ベースプレート４ｂの第２中空空間４ｈは、フレーム状の保持要素７を介して第２ベースプレート４ｂの第２外側４ｆに直接取着された第２カバー６ｂによって閉鎖される。
【００２７】
ビーム端５ｄ、５ｅとベースプレート４ａ、４ｂとの間の接続およびベースプレート４ａ、４ｂに対する取付け要素１８の接続の構成について、次に、図３および４の助けを借りてさらに詳しく説明する。
【００２８】
図３は、図２の第１ベースプレート４ａの領域の拡大断面図を示す。図１に関連して前述した通り、第１ベースプレート４ａは４つの異なる固定位置に、全部で４つの長手方向ビーム５ａ、５ｂまたは３つ以下の長手方向ビーム５ａ、５ｂ、５ｃのための固定手段を含む。図３は２つの後部の、すなわち第１および第３の長手方向ビーム５ａ、５ｃを示す。長手方向ビーム５ａ、５ｃの第１ビーム端５ｄを第１ベースプレート４ａに取着するために、第１ベースプレート４ａの所望の固定位置の領域に貫通開口８が配設される。長手方向ビーム５ａ、５ｃは円形断面を有する棒として形成されるので、貫通開口８は長手方向ビーム５ａ、５ｂの断面より少し大きい通路断面を有する。したがって長手方向ビーム５ａ、５ｂは、第１ベースプレート４ａと確実に係止接触する。したがって貫通開口８の中心通路軸ｄは、長手方向ビーム５ａ、５ｃの長手軸Ｌと動作状態で一致する。
【００２９】
長手方向ビーム５ａ、５ｃの第１ビーム端５ｄを長手方向ビーム５ａ、５ｃの長手軸Ｌの方向およびその反対方向に固定するために、長手方向ビーム５ａ、５ｃの直径は第１ビーム端５ｄの外端で同軸的に漸減し、環状ショルダ面５ｆおよび円筒突起５ｇを形成する。さらに、長手方向ビーム５ａ、５ｃの長手軸Ｌの方向に向けられたねじ穴９は内ねじを有しており、円筒突起５ｇの外端面から始まり、第１ビーム端５ｄの中心に設けられる。貫通開口８内の第１ビーム端５ａの挿入深さ、およびしたがって第１および第２ベースプレート４ａ、４ｂ間の距離も、ショルダ面５ｆが第１ベースプレート４ａの外側４ｅと整列するように選択される。長手方向ビーム５ａ、５ｃの長手軸Ｌの方向に見て、長手方向ビーム５ａ、５ｂをこの位置に維持するために、保持穴１０ａを有する保持要素１０が設けられる。保持要素１０は、第１ベースプレート４ａの貫通開口８の各々のために４つの保持穴１０ａを有する長方形フレームとして形成される。保持穴１０ａの深さは、第１ビーム端５ｄの円筒突起５ｇの長さよりわずかに大きくなるように選択される。保持穴１０ａ内に挿入された円筒突起５ｇは、外側からねじ穴９内に螺入される第１ねじ１１を介して、保持要素１０に取着することができる。保持要素１０は、第１ねじ１１の頭と第１ビーム端５ｄのショルダ面５ｆとの間に締着される。加えて、円筒頭ねじとして形成されたねじ１１の頭と保持要素１０の外側との間に円板１２が配置される。一方、板状保持要素１０は、図示する通り、ねじを介して第１ベースプレート４ａの外側４ｅに螺合される。さらに、第１ベースプレート４ａの中空空間４ｇを閉鎖するためのカバー６ａは、外側からフレーム状保持要素１０に螺合される。
【００３０】
ねじ１１により保持要素１０を介して貫通開口８に第１ビーム端５ｄを取着するタイプとして、保持要素１０を取り外した後、長手方向ビーム５ａ、５ｂを第１ベースプレート４ａからその長手軸Ｌの方向に引き出すことが可能である。したがって、ケーブルドラム２を取り外すことなく、長手方向ビーム５ａ、５ｂの位置または数を変更することが可能である。
【００３１】
図３は、長手方向ビーム５ａ、５ｂの第１ビーム端５ａが一体品として形成されず、むしろ外径が長手方向ビーム５ａ、５ｂ、５ｃの外径に略一致する第１保持部品１３ａを含むことをさらに示す。第１保持部品１３ａの外径は、より容易に長手方向ビーム５ａ、５ｂ、５ｃをその長手方向Ｌに着脱することができるように、長手方向ビーム５ａ、５ｂ、５ｃの外径よりわずかに大きいことが好ましい。次いで第１円筒突起５ｇおよび第１ショルダ面５ｆが、保持部品１３の外側自由端に設けられる。第１保持部品１３を長手方向ビーム５ａ、５ｂ、５ｃの端部に接続するために、第２円筒突起５ｈおよび第２ショルダ面５ｉが長手方向ビーム５ａ、５ｂ、５ｃの端部に設けられ、そこに第１保持部品１３が配置される。長手方向ビーム５ａ、５ｂの端部にねじ穴９が設けられる。第１保持部品１３には、ねじ山の無い１つだけの貫通穴が位置する。配置された保持部品１３は、ねじ１１を介して長手方向ビーム５ａ、５ｂの端に取着される。
【００３２】
第１保持部品１３ａは、図１に示す通り、取付け要素１８を第１ベースプレート４ａに取着するのに役立つ。取付け要素１８はこの場合、足ブラケットとして形成される。要望に応じてベースプレート４ａ、４ｂに取り付けることのできる取付け要素１８の接続は、いわゆるダブル剪断ボルト接続として形成される。この目的のために必要になるボルトは、第１保持部品１３ａによって形成される。１つまたは複数の取付け用突耳１８ａが取付け要素１８に配置され、第１および第２分岐突耳１９ａ、１９ｂが、第１ベースプレート４ａおよび保持要素１０によって形成され、それらは第１ベースプレート４ａの孔２０を画定する。第１ボルト状保持部品１３ａを受容することができるようにするために、取付け穴１８ｂが取付け用突耳１８ａに配置され、第１分岐穴１９ｃが第１分岐突耳１９ａに配置され、かつ第２分岐穴１９ｄが第２分岐突耳１９ｂに配置される。相応して、第１分岐穴１９ｃ、取付け要素穴１８ｂ、および第２分岐穴１９ｄが互いに位置合せされ、かつそれらの中心軸を長手方向ビーム５ａ、５ｂの長手軸Ｌと同軸に向けられる。第１分岐穴１９ｃはまた同時に長手方向ビーム５ａ、５ｂ用の貫通開口８でもあり、第２分岐穴１９ｄは保持要素１０の保持穴１０ａによって形成される。取付け要素１８の追加または交換に関連して、ねじ１１、カバー６ａおよび保持要素１０を取り外した後、長手方向ビーム５ａ、５ｂ、５ｃ、または保持部品１３を取り外して再び取り付ける必要なく、取付け要素１８をその取付け用突耳１８ａと共に長手方向ビーム５ａ、５ｂ、５ｃの長手軸Ｌの方向に取り外すことができることは特に有利である。必要ならば、さらに第１保持部品１３ａを取り外すことができる。いずれの場合も、ケーブルドラム２はベースプレート４ａ、４ｂの間に留めることができる。
【００３３】
図４は、図２の第２ベースプレート４ｂの領域の拡大断面図を示す。第１ベースプレート４ａと全く同様に、第２ベースプレート４ｂは４つの異なる固定位置に、全部で４つの長手方向ビーム５ａ、５ｂ、５ｃ、または３つ以下の長手方向ビーム５ａ、５ｃのための固定手段を含む。長手方向ビーム５ａ、５ｂをそれらの第２ビーム端５ｅで第２ベースプレート４ｂに取着するために、段付き貫通開口１４が第２ベースプレート４ｂの所望の固定位置の領域に配設され、貫通開口の断面は長手方向ビーム５ａ、５ｂの断面よりわずかに大きい。段付き貫通開口１はこの場合、中心貫通穴を持つめくら穴と理解される。長手方向ビーム５ａ、５ｂはしたがって第２ベースプレート４ｂと確実に係止接触する。めくら穴開口１４の中心軸ｅは、動作状態で長手方向ビーム５ａ、５ｂの長手軸Ｌと一致する。長手方向ビーム５ａ、５ｂの第２ビーム端５ｅを段付き貫通開口１４内で、長手方向ビーム５ａ、５ｂの長手軸Ｌの方向およびその反対方向に固定するために、長手方向ビーム５ａ、５ｂの第２ビーム端５ｅの外端の直径は同軸的に漸減し、第３環状ショルダ面５ｊおよび第３円筒突起５ｋを形成する。
【００３４】
さらに、長手方向ビーム５ａ、５ｃの長手軸Ｌの方向に向けられたねじ穴１５は内ねじを有しており、第２ビーム端５ｂの外端から始まり、その中心に設けられる。段付き貫通開口１４内の第２ビーム端５ｅの挿入深さ、およびしたがって第１および第２ベースプレート４ａ、４ｂ間の距離は、第３ショルダ面５ｊが第２ベースプレート４ｂの内側４ｄに当接するように選択される。長手方向ビーム５ａ、５ｃの長手軸Ｌの方向に見て、長手方向ビーム５ａ、５ｂをこの位置に維持するために、ねじ１６が、第２ベースプレート４ｂの外側４ｆから、段付き貫通開口１４の基部の中心に出る穴１７を介して、第２ビーム端５ｅのねじ穴１５内に螺合される。六角穴付きねじとして形成されるねじ１６の頭はしたがって、第２ベースプレート４ｂの外側４ｆに支持される。
【００３５】
図４は、ねじ１６がその頭を第２ベースプレート４ｂの外側４ｆに直接支持されるのではなく、図１に示すように取付け要素１８を第２ベースプレート４ｂに取着するのに役立つ第２スリーブ状保持部品１３ｂを介して、支持されることを示す。取付け要素１８は今度は足ブラケットとして形成される。ベースプレート４ａ、４ｂに選択的に取着することのできる取付け要素１８の接続は再び、ダブル剪断ボルト接続として形成される。この目的のために必要なボルトは第２保持部品１３ｂによって形成され、１つ以上の取付け用突耳１８ａが取付け要素１８に配置され、第３および第４分岐突耳１９ｅ、１９ｆが第２ベースプレート４ｂおよび第２カバー６ｂによって形成され、それらは第２ベースプレート４ｂの孔２１を画定する。第２ボルト状保持部品１３ｂを受容できるようにするために、取付け穴１８ｄが取付け用突耳１８ａに配置され、第３分岐穴１９ｇが第３分岐突耳１９ｅに配置され、かつ第４分岐穴１９ｈが第４分岐突耳１９ｆに配置される。相応して、第３分岐穴１９ｇ、取付け要素穴１８ｂ、および第４分岐穴１９ｈは互いに整列し、それらの中心軸が長手方向ビーム５ａ、５ｂの長手軸Ｌと同軸になるように配向される。第３分岐穴１９ｇは、第２ベースプレート４ｂにおける長手方向ビーム５ａ、５ｂのための段付き貫通開口１４の延長として配置され、ねじ１６用の穴１７を持つ段付き貫通開口１４の分離壁２２によって分離される。取付け要素１８の追加または交換に関連して、ねじ１６および第２保持部品１３ｂを取り外した後、長手方向ビーム５ａ、５ｂまたは第２カバー６ｂを取り外す必要なく、取付け要素１８をその取付け用突耳１８ａと共に、長手方向ビーム５ａ、５ｃの長手軸Ｌに対し直角方向に取り外すことができることは特に有利である。必要ならば、第２保持部品１３ｂをその場に留めることができ、第２カバー６ｂを取り外すことができる。いずれの場合も、ケーブルドラム２はベースプレート４ａ、４ｂの間に留めることができる。
【００３６】
取付け要素１８を取着するために、貫通開口８および段付き貫通開口１４の領域に支持棒８が挿入されない場合、この目的のために、ベースプレート４ａ、４ｂの内側４ｃ、４ｄの領域で終端する切り株状支持棒が設けられる。
【００３７】
図５は、短設計のモノレールクレーントロリの構成部品としての本発明に係るケーブルウィンチ１の斜視図を示す。図１から分かる足取付け型ホイストとしての実施形態と比較して、取付け要素１８は、ケーブルウィンチ１８を支持構造または倉庫の床に取着するための保持レールではなく、走行機構の部品２３および走行駆動装置２４を支持する横ビームである。
【符号の説明】
【００３８】
１    ケーブルウィンチ
２    ケーブルドラム
２ａ      電動モータ
２ｂ    トランスミッション
３    ベースフレーム
４ａ    第１ベースプレート
４ｂ    第２ベースプレート
４ｃ    第１ベースプレート４ａの内側
４ｄ    第２ベースプレート４ｂの内側
４ｅ    第１ベースプレート４ａの外側
４ｆ    第２ベースプレート４ｂの外側
４ｇ    第１中空チャンバ
４ｈ    第２中空チャンバ
５ａ    第１長手方向ビーム
５ｂ    第２長手方向ビーム
５ｃ    第３長手方向ビーム
５ｄ    第１ビーム端
５ｅ    第２ビーム端
５ｆ    第１ショルダ面
５ｇ    第１円筒突起
５ｈ    第２ショルダ面
５ｉ    第２円筒突起
５ｊ    第３ショルダ面
５ｋ    第３円筒突起
６ａ    第１カバー
６ｂ    第２カバー
７    保持要素
８    貫通開口
９    ねじ穴
１０    保持要素
１０ａ    保持穴
１１    ねじ
１２    円板
１３ａ    第１保持部品
１３ｂ    第２保持部品
１４    段付き貫通開口
１５    ねじ穴
１６    ねじ
１７    穴
１８    取付け要素
１８ａ    取付け用突耳
１８ｂ    取付け穴
１９ａ    第１分岐突耳
１９ｂ    第２分岐突耳
１９ｃ    第１分岐穴
１９ｄ    第２分岐穴
１９ｅ    第３分岐突耳
１９ｆ    第４分岐突耳
１９ｇ    第３分岐穴
１９ｈ    第４分岐穴
２０    孔
２１    孔
２２    分離壁
２３    走行機構の部品
２４    走行駆動装置
Ｄ    回転軸
Ｌ    長手軸
ｄ    通過軸
ｅ    軸
【図１】
2013511450.tif 000003
【図２】
2013511450.tif 000004
【図３】
2013511450.tif 000005
【図４】
2013511450.tif 000006
【図５】
2013511450.tif 000007
【国際調査報告】
2013511450.tif 000008
2013511450.tif 000009
2013511450.tif 000010
2013511450.tif 000011
2013511450.tif 000012
2013511450.tif 000013